(57)【要約】  本発明は、弾性部材１をリニア圧縮機の磁性アクチュエータ２に結合させるためのアダプタであって、弾性部材１と共働する少なくとも１つの支持部材６であって、中間外周突出部分６１が装備されたほぼ円筒形の部分を備える支持部材６と、支持部材８および磁性アクチュエータ２と共働する少なくとも１つの締め付け要素７と、磁性アクチュエータ２と、取り外し可能であり電気的に絶縁されたリニア圧縮機の弾性部材１との間の相互連結を可能にするための手段とから構成され、締め付け要素７が、電気的に絶縁する非磁性材料、たとえばセラミックで作製される、アダプタに関する。
2014518347.tif 000002
【特許請求の範囲】
【請求項１】
弾性部材（１）と、磁性アクチュエータ（２）と、ロッドまたは連結ロッド（４）を用いることによって弾性部材（１）に結合された往復ピストン（３）とを備え、平坦ばね（５）の使用によって作動することができるリニア圧縮機用のアダプタ装置であって、
弾性部材（１）と共働する少なくとも１つの支持部材（６）であって、中間外周突出部分（６１）が装備されたほぼ円筒形の部分を備える前記支持部材（６）と、
支持部材（８）および磁性アクチュエータ（２）と共働する少なくとも１つの締め付け要素（７）と、
磁性アクチュータ（２）とリニア圧縮機の弾性部分（１）の間の相互結合を、取り外し可能であり電気的および磁性的に分離されるようにして可能にするための手段と
を備えることを特徴とする、アダプタ装置。
【請求項２】
締め付け要素（７）が、電気的に絶縁する非磁性材料によって製造されることを特徴とする、請求項１に記載のアダプタ装置。
【請求項３】
締め付け要素（７）が、セラミック材料から製造されることを特徴とする、請求項１および２に記載のアダプタ装置。
【請求項４】
支持部材（８）が、干渉結合を用いることによって弾性部材（１）に結合されることを特徴とする、請求項１に記載のアダプタ装置。
【請求項５】
支持部材（８）が、弾性部材（１）の遠位内側外周領域に結合されることを特徴とする、請求項１および４に記載のアダプタ装置。
【請求項６】
締め付け要素（７）の遠位縁（７１）が、磁性アクチュエータ（２）に取り付けるための接着要素でコーティングされることを特徴とする、請求項１に記載のアダプタ装置。
【請求項７】
締め付けリング（７）の遠位縁（７１）が、いくつかのスプリッタ（７２）を有することを特徴とする、請求項１および６に記載のアダプタ装置。
【請求項８】
中間外周突出部（６１）が、少なくとも１つの平坦ばね（５）を前記中間外周突出部分（６１）と弾性部材（１）の遠位端部（１１）の間に嵌合結合させるための止め部を構成することを特徴とする、請求項１に記載のアダプタ装置。
【請求項９】
弾性部材（１）と、磁性アクチュエータ（２）と、ロッドまたは連結ロッド（４）を用いることによって弾性部材（１）に結合された往復ピストン（３）とを備え、平坦ばね（５）の使用によって作動することができるリニア圧縮機であって、弾性部材（１）と共働する少なくとも１つの支持部材（６）であって、中間外周突出部分（６１）が装備されたほぼ円筒形の部分を備える前記支持部材（６）と、支持部材（６）および磁性アクチュエータ（２）と共働する少なくとも１つの締め付け要素（７）とによって形成されるアダプタ装置を備えることを特徴とする、リニア圧縮機。
【発明の詳細な説明】
【技術分野】
【０００１】
本発明は、より詳細には磁性リングをリニア圧縮機の共振ばねに取り付けるように設計された圧縮機用のアダプタ装置であって、ばねまたは平坦な板ばねの、そのような部分の同時収容を可能にしてもしなくてもよい、アダプタ装置に関する。
【背景技術】
【０００２】
当技術分野で知られているように、リニア圧縮機装置は、流体の所与の体積の圧力を、一般的には冷却システムであるシステムの適正な作動に必要な値まで上昇させるために圧縮室内で軸方向に移動可能なピストンが設けられる。したがって、そのような圧縮機は、ハウジングと、ハウジングに取り付けられた、圧縮室を画定するシリンダと、ピストンと、リニア電気モータと、通例では共振ばねを構成する弾性手段を介してモータをピストンに結合させるアクチュエータ手段とを備える。
【０００３】
しかしながら、通例では磁性本体によって構成される電気アクチュエータは、通常、弾性要素に剛性に（接着、溶接など）結合されることがあり、これは、可能性のある部品の保全および取換手順を難しくしている。さらには、金属である弾性要素（または共振ばね）は、場合によっては、アクチュエータの適正な磁束を損なって望ましくない損失を引き起こすことがあり、さらに圧縮機の作動中の磁性本体の破壊は、モータから弾性要素への電流の通過を許し、それによって数多くの問題を引き起こす恐れがある。
【０００４】
ブラジル特許ＰＩ０６０１６４５−ＢＲ６号明細書の文献が、従来技術の一例として挙げられ得、この文献は、上記で述べられた実施形態を示す以外に、製造に多量の材料を使用する必要があり、その結果、関係する製造コストの増大が必要である、弾性部材と相互連結するための基部の存在も開示している。
【０００５】
また、そのような剛性の結合が、あらゆる保全手順を難しくし、弾性媒体の適正な作動／動作を妨害することもまた挙げられる。
【０００６】
また、数多くの圧縮機は、組立体を圧縮機のハウジングに締め付けるための締め付け要素として作用するために弾性媒体の端部に配置された平坦ばねまたは平坦ばねの組み合わせによって作動し、これらの要素は、さらに作用応力も吸収し、したがって適正な作動および圧縮機の作動中に発せられる騒音のレベルの最小化に極めて重要であることが注目されるべきである。したがって、弾性要素とアクチュエータ手段の間の剛性の結合はまた、両方の部分に剛性に取り付けられるようになることも多い平坦ばねの設置および配置を複雑にし、上記で述べられた同じ欠点を招く。
【先行技術文献】
【特許文献】
【０００７】
【特許文献１】ブラジル特許ＰＩ０６０１６４５−ＢＲ６号明細書
【発明の概要】
【発明が解決しようとする課題】
【０００８】
本発明の目的の１つは、圧縮機の弾性部材とそのリニア磁性アクチュエータの間の結合のための電気的に絶縁された適切な手段である。
【０００９】
とりわけ、本発明の目的は、磁性アクチュエータおよび共振ばねを干渉によって相互連結することができ、類似の知られているものに見られるほど剛性ではないアダプタを提供することである。
【００１０】
本発明の別の目的は、共振ばね用のアダプタであって、部分間のその結合形態が、その部分、具体的には磁性アクチュエータの寸法における大幅な低減を可能にし、その結果、よりコンパクトな装置、可能であればより経済的なものになる、アダプタを開示することである。
【課題を解決するための手段】
【００１１】
本発明は、弾性部材と、磁性アクチュエータと、ロッドまたは連結ロッドを用いることによって弾性部材に結合された往復ピストンとを備え、平坦ばねを用いて作動することができるリニア圧縮機用のアダプタ装置であって、弾性要素と共働する少なくとも１つの支持部材であって、中間外周突出部分が装備されたほぼ円筒形の部分を備える支持部材と、支持部材および磁性アクチュエータと共働する少なくとも１つの締め付けリングとを備える、アダプタ装置によって上記の目的を達成する。
【００１２】
簡潔に言えば、本発明の対象リニア圧縮機のためのアダプタ装置は、磁性アクチュエータとリニア圧縮機の弾性部材または共振ばねとの間の相互連結を、取り外し可能であり電気的および磁性的に分離されるようにして可能にするための手段を備える。
【００１３】
本発明の好ましい実施形態によれば、締め付け要素は、電気的に絶縁する非磁性材料、好ましくはセラミックから作製される。
【００１４】
また本発明の好ましい実施形態によれば、支持部材は弾性部材に、干渉結合によって、より詳細には雄型タイプの嵌合によって、好ましくは支持部材が外周弾性部材の遠位内側領域に結合するようにして結合する。
【００１５】
本発明の可能な実施形態の１つにおいては、締め付けリングの遠位縁は、磁性アクチュエータへのいかなる取付けも可能にするために接着要素がコーティングされ、好ましくは、締め付けリングの遠位縁は、接着層が一定を保つことを確実にするためのスプリッタ要素を有する。
【００１６】
本発明の対象アダプタの支持部材にはまた、外周中間突出部分が設けられ、この外周中間突出部分は、少なくとも１つの平坦ばねを前記外周突出部分と中間弾性部材の遠位端部との間に嵌合によって結合させるための止め部を定める。
【００１７】
本発明は、さらに、弾性部材と、磁性アクチュエータと、ロッドまたは連結ロッドを用いることによって弾性部材に結合された往復ピストンとを備え、平坦ばねを用いて作動することができるリニア圧縮機であって、弾性部材と共働する少なくとも１つの支持部材であって、中間外周突出部分が装備されたほぼ円筒形の部分を備える前記支持部材と、支持部材および磁性アクチュエータと共働する少なくとも１つの締め付けリングであって、電気的および非磁性の絶縁材料から製造される前記締め付けリングとによって形成されるアダプタ装置を備えることを特徴とする、リニア圧縮機を備える。
【図面の簡単な説明】
【００１８】
【図１】本発明の対象アダプタ装置の好ましい実施形態に使用されるリニア圧縮機の長手方向断面図である。
【図２】本発明の対象アダプタおよびアダプタに結合する圧縮機の磁性アクチュエータの斜視図である。
【図３】完全に組み立てられた、図２に示された目的の斜視図である。
【図４】アダプタおよびリニア圧縮機の磁性アクチュエータを接合するために使用される接着層の均一を助けるように設計されたスプリッタに注目し、これを強調することを可能にする本発明のアダプタの斜視図である。
【図５．１】別々にされた、弾性部材およびアダプタの分解斜視図である。
【図５．２】リニア圧縮機の弾性部材に適切に結合された本発明の対象アダプタの斜視図である。
【発明を実施するための形態】
【００１９】
上記において本明細書でリストされた図で見られ得るように、本発明の好ましい実施形態によって構築されたリニア圧縮機用のアダプタ装置は、図２から図４に示されるように、たとえば共振ばねである弾性要素１と共働する支持部材６と、圧縮機の装置モータの（この場合は円筒形態を有する磁性リングによって表された）磁性アクチュエータ２に接着または類似の技術によって結合される締め付けリングまたは要素７とを備える。
【００２０】
図１および図５は、支持部材６が、外周中間突出部分６１が装備されたほぼ円筒形の部分によって形成され、この突出部分は、この部分を２つの領域：その外側周囲に沿って結合される（弾性部材１に対する）近位部の領域、システムモータ（図示されず）の磁性アクチュエータ２に効果的に取り付けられる締め付けリング７の領域に細分化することに注目することを可能にする。
【００２１】
そのような外周突出部分６１は、階段形状のプロファイルを有しており、それによって平坦ばね５または場合によっては平坦板ばね５を弾性部材１と一緒に配置することを可能にする。この点において、システムは、結果的には特許請求される保護の範囲を超えることなく、平坦ばねが存在してもしなくても作動することができることが明確である。システムが平坦ばねを使用しない場合、支持部材６の外周突出部分６１は、弾性部材１の遠位端部と直接接触する。
【００２２】
さらに図１、図５．１、および図５．２から、支持部材６の近位領域が、このセットの組立てのための「雌型」タイプ部分として作用する弾性部材の内径内に挿入される「雄型」タイプの部分を定めることから、弾性部材とアダプタ装置１の結合（嵌合）が、干渉によって行われることを見ることも可能である。したがって、２つの部分間の結合は、支持部材６を弾性部材１の遠位外周領域の内側周囲と一緒に維持し、このときこの組立体は、従来技術では一般的な実施形態である、接着材料、溶接、または任意の他の締め付け手段の使用を必要としない。
【００２３】
この形態の構造および組立は、あらゆる構成要素の保全および取換手順を極めて容易にすることに注目することが重要である。
【００２４】
さらに、磁性アクチュエータ２および締め付けリング７の締め付けは、締め付けリングの遠位縁７１に塗布された任意の接着材料を用いて、接着層が一定に保たれて構成要素の十分な締め付けをもたらすことを確実にするように実施され、図４により良好に見られるように、リング７の遠位縁７１上には約０．１ｍｍ幅の（座ぐりまたは突出部分になり得る）スプリッタ（７２）が設けられる。
【００２５】
手短に言えば、本発明の対象リニア圧縮機のためのアダプタ装置の組立ては、以下のステップを含む：
−弾性部材１に対する支持部材８の干渉による結合ステップ、
−接着材料を外周中間突出部分８１に塗布することによって締め付けリング７を支持体８に結合させるステップ、
−締め付けリング７の遠位縁７１上に接着剤を塗布するステップ、および
−磁性アクチュエータ２の端部の１つを締め付けリング７の遠位縁７１上に取り付けるステップ。
【００２６】
また、本発明の対象アダプタ装置は、要求事項に応じてさまざまな外観形状、材料、および寸法で製造され得ることに注目することも重要である。
【００２７】
本発明の好ましい構造形態が示されてきたが、いかなる省略、置き換え、および構造的変更も、要求される保護の趣旨および範囲から逸脱することなく当業者によって達成され得ることが理解されることに留意されたい。また、同じ結果を達成するためにほぼ同じような方法で同じ機能を実行する要素のすべての組み合わせが、本発明の範囲にあることも明示的に記載される。説明された実施形態の要素の他のものへの置き換えもまた、完全に意図され包含される。
【００２８】
しかしながら、上記の図に基づいて上記で与えられた説明は、本発明のシステムの可能な実施形態の１つに関するものにすぎず、本発明の目的の実際の範囲は、付属の特許請求の範囲において定義されていることを理解すべきである。
【図１】
2014518347.tif 000003
【図２】
2014518347.tif 000004
【図３】
2014518347.tif 000005
【図４】
2014518347.tif 000006
【図５．１】
2014518347.tif 000007
【図５．２】
2014518347.tif 000008
【国際調査報告】
2014518347.tif 000009
2014518347.tif 000010
2014518347.tif 000011